(57)【要約】【課題】目の下側の化粧をする際にも邪魔にならない化粧用メガネを提供すること。【解決手段】化粧用メガネ１は、ユーザの頭部に固定されるカチューシャ２と、視力矯正用の単一のレンズ３と、カチューシャ２に連結されてレンズ３をユーザの左右の目の一方の前で保持するホルダー４とを備える。ホルダー４の磁石４ｃをカチューシャ２の鉄板２ａに吸着させることにより、ホルダー４が磁力によってカチューシャ２と着脱可能に固定され、ユーザの左右いずれかの目の前にレンズ３を位置させることができる。【選択図】図１
0003191146.tif 000002
【実用新案登録請求の範囲】
【請求項１】
ユーザの頭部に固定されるカチューシャと、視力矯正用の単一のレンズと、前記カチューシャに連結されて前記レンズをユーザの左右の目の一方の前で保持するホルダーと、前記カチューシャと前記ホルダーとを磁力により着脱可能に固定する磁力固定手段とを備え、該磁力固定手段は、前記カチューシャと前記ホルダーとの一方に設けられた第１の磁石と、他方に設けられて第１の磁石が吸着する磁性体または第１の磁石とは逆極性の第２の磁石とから構成されるることを特徴とする化粧用メガネ。
【請求項２】
前記レンズは、前記ホルダーとしての機能を兼ね備え、前記磁力固定手段は、前記カチューシャと前記レンズとの一方に設けられた第１の磁石と、他方に設けられて第１の磁石が吸着する磁性体または第１の磁石とは逆極性の第２の磁石とから構成されるることを特徴とする請求項１に記載の化粧用メガネ。
【考案の詳細な説明】
【技術分野】
【０００１】  本考案は、近視、遠視等で普段メガネを装用している人が目の周りの化粧をする際に利用するのに適した化粧用メガネに関する。
【背景技術】
【０００２】  一般に化粧をする際には、鏡で自分の顔を確認しながらパフやブラシ等の道具を使って化粧品をつけてゆく。近視、遠視等で普段メガネを装用している人が目の周りの化粧をする場合、メガネを装用したままではメガネが邪魔になって目の周りの化粧ができず、メガネを外してしまうと鏡に映る自分の顔をはっきり確認できず、うまく化粧ができない。【０００３】  そこで、従来から特許文献１に開示されるような化粧用メガネが提案されている。特許文献１に開示される化粧用メガネは、フレームと左右のレンズとからなる一般的なメガネを基本として、左右のレンズを左右独立して人の眉毛付近から下側へ離れた位置へ移動可能としている。これにより、化粧する側の目に対応するレンズを下側に移動させ、他方のレンズを使って目視しながら化粧をすることができる。
【先行技術文献】
【特許文献】
【０００４】
【特許文献１】特開平１１−１０９２９０号公報
【考案の概要】
【考案が解決しようとする課題】
【０００５】  しかしながら、特許文献１に開示される化粧用メガネは、化粧する側の目に対応するレンズを下側に移動させても、下側のフレームはそのままの位置に残るため、目の下側の化粧をする際にフレームが邪魔になるという問題がある。【０００６】  本考案は、上記の課題に鑑みてなされたものであり、目の下側の化粧をする際にも邪魔にならない化粧用メガネを提供することを目的とする。
【課題を解決するための手段】
【０００７】  本考案に係る化粧用メガネは、ユーザの頭部に固定されるカチューシャと、視力矯正用の単一のレンズと、前記カチューシャに連結されて前記レンズをユーザの左右の目の一方の前で保持するホルダーと、前記カチューシャと前記ホルダーとを磁力により着脱可能に固定する磁力固定手段とを備え、該磁力固定手段は、カチューシャとホルダーとの一方に設けられた第１の磁石と、他方に設けられて第１の磁石が吸着する磁性体または第１の磁石とは逆極性の第２の磁石とから構成されることを特徴とする。
【考案の効果】
【０００８】  本考案によれば、レンズ及びホルダーは化粧をする側とは反対側の目の前にのみ位置するため、化粧をする側の目の周りには妨げとなるものがなく、容易に化粧をすることができる。
【図面の簡単な説明】
【０００９】
【図１】本考案の第１の実施の形態に係る化粧用メガネの装着状態を示す正面図である。
【図２】図１の化粧用メガネを構成するカチューシャを示す正面図である。
【図３】図１の化粧用メガネを構成するレンズ及びホルダーの組立体を示す正面図である。
【図４】本考案の第２の実施の形態に係る化粧用メガネを構成するレンズ及びホルダーの組立体を示す正面図である。
【考案を実施するための形態】
【００１０】  以下、本考案の実施の形態について図面に基づいて説明する。図１は、本考案の第１の実施の形態に係る化粧用メガネ１の装着状態を示す正面図である。また、図２は、化粧用メガネ１を構成するカチューシャ２を示す正面図、図３は、化粧用メガネ１を構成するレンズ３及びホルダー４の組立体を示す正面図である。
【００１１】  第１の実施の形態に係る化粧用メガネ１は、ユーザの頭部に固定されるカチューシャ２と、視力矯正用の単一のレンズ３と、カチューシャ２に連結されてレンズ３をユーザの左右の目の一方の前で保持するホルダー４とを備える。
【００１２】  カチューシャ２は、頭部の形状に合わせて湾曲した弾性のある帯状の部材であり、この例では本体が樹脂製で、左右の目の上部をカバーする位置に磁性体である薄い鉄板２ａがはめ込まれている。
【００１３】  レンズ３は、ユーザの視力に合わせて度数が設定された視力矯正用レンズであり、近視用、遠視用、あるいは乱視用のレンズを用いることができる。レンズ３を保持するホルダー４は、レンズの周囲を囲むフレーム部４ａと、このフレーム部４ａから上方に伸びるＴ字状の支持部４ｂとを備え、支持部４ｂの上端の横バー部分には、図１では裏側となるカチューシャ２に接する側に、磁石４ｃがはめ込まれている。
【００１４】  図１に示す状態では、ホルダー４の磁石４ｃをカチューシャ２の鉄板２ａの右目の上部に吸着させることにより、ホルダー４が磁力によってカチューシャ２と着脱可能に固定され、レンズ３を右目の前に位置させている。ユーザは、レンズ３を介して右目で確認しながら、左目周りの化粧をすることができる。
【００１５】  左目周りの化粧が終了したら、ユーザはフレーム４を手でつかんでカチューシャ２から外し、左目側で鉄板２ａに磁石４ｃを吸着させることにより、レンズ３を左目の前に位置させ、レンズ３を介して左目で確認しながら、右目周りの化粧をすることができる。左右いずれの目の周りを化粧する際にも、化粧をする側の目の周りには妨げとなるものがないため、容易に化粧をすることができる。
【００１６】  上記の実施の形態では、カチューシャ２とホルダー４とを磁力により着脱可能に固定する磁力固定手段として、カチューシャ２の鉄板２ａと、ホルダー４の磁石４ｃとを用いている。ただし、磁力固定手段は、カチューシャ２とホルダー４との一方に設けられた第１の磁石と、他方に設けられて第１の磁石が吸着する磁性体または第１の磁石とは逆極性の第２の磁石とから構成されればよい。したがって、上記の実施の形態の例には限られず、カチューシャにシート状の磁石を配置し、ホルダーに磁性体を設けてもよいし、カチューシャに第１の磁石（例えばＮ極を向けた磁石）を配置し、ホルダーに逆極性の第２の磁石（例えばＳ極を向けた磁石）を配置してもよい。
【００１７】  また、上記の実施の形態では、樹脂製のカチューシャ本体に１枚の鉄板をはめ込んでいるが、左右の目の上部に２か所に分割して鉄板をはめ込んでもよいし、カチューシャ全体を薄い磁性体の金属板で構成してもよい。いずれの場合にも、カチューシャには単体で髪留めとして用いても違和感がないように装飾が施されることが望ましい。
【００１８】  図４は、本考案の第２の実施の形態に係る化粧用メガネを構成するレンズ及びホルダーの組立体を示す正面図である。この例では、レンズ３１の縦方向のサイズが大きく、ホルダーとしての機能を兼ね備えている。レンズ３１の上端近傍には、左右の二か所に磁石４１ａ，４１ｂがはめ込まれている。使用の際には、第１の実施の形態と同様に、カチューシャ２の鉄板２ａに左右いずれかに目の上で磁石４１ａ，４１ｂを吸着させて固定し、反対側の目周りの化粧をすることができる。
【００１９】  なお、第２の実施の形態においても、カチューシャとレンズとに設けられる磁石と磁性体との組み合わせは任意であり、第１の実施の形態において説明したのと同様に、各種の態様が選択可能である。
【符号の説明】
【００２０】１  化粧用メガネ
２  カチューシャ
３  レンズ
４  ホルダー
【図１】
0003191146.tif 000003
【図２】
0003191146.tif 000004
【図３】
0003191146.tif 000005
【図４】
0003191146.tif 000006